(57)【要約】【課題】空気調和機のリモコンの表示部として必ず装備されている温度表示を利用して、簡易な方法で空調管理サーバに登録されている室内機のアドレスと実際に設置されている室内機との対応の確認を容易に行うことのできる空気調和機の管理システム及び該管理システムを用いた通信管理方法を提供する。【解決手段】室内機と室外機とから構成され、それぞれの室内機が固有のアドレスをもって区別される複数の空気調和機２と、室内機に接続され、室内機の制御を行なうとともに設定温度を表示する表示部を備えたリモートコントローラ２ｒと、室内機に対して一台ずつに異なる通信確認用温度を指示する管理装置３，４とを備え、リモートコントローラ２ｒは、管理装置３，４によって指示された通信確認用温度を表示部に表示する。【選択図】図４
2009127892.tif 000002
【特許請求の範囲】
【請求項１】
室内機と室外機とから構成され、それぞれの室内機が固有のアドレスをもって区別される複数の空気調和機と、
前記室内機に接続され、前記室内機の制御を行なうとともに設定温度を表示する表示部を備えたリモートコントローラと、
前記室内機に対して一台ずつに異なる通信確認用温度を指示する管理装置とを備え、
前記リモートコントローラは、前記管理装置によって指示された前記通信確認用温度を前記表示部に表示することを特徴とする空気調和機管理システム。
【請求項２】
前記管理装置は、前記通信確認用温度としてマイナスの値から開始して順次前記複数の室内機に対して温度を設定することを特徴とする請求項１に記載の空気調和機管理システム。
【請求項３】
前記管理装置は、前記複数の室内機に対して指示設定した前記通信確認用温度を予め決められた時間経過後に、前記複数の室内機ごとに前記通信確認用温度の設定前に設定されていた温度に復帰させる指示を前記複数の室内機に対して指示することを特徴とする請求項１または請求項２に記載の空気調和機管理システム。
【請求項４】
それぞれが固有のアドレスをもって区別されて管理装置と接続される複数の室内機に対して、前記アドレスのソートを行うステップと、
前記ソートによって並べられたアドレスを持つ前記複数の空気調和機に対して順に番号を付与するステップと、
前記複数の空気調和機に対して付与された番号順に、順次所定の温度差をもつ通信確認用温度を設定するステップと、
前記設定された前記通信確認用温度を前記複数の空気調和機に送信し、それぞれの前記空気調和機に付属するリモートコントローラに前記通信確認用温度を表示させるステップと、
を備えることを特徴とする空気調和機の通信管理方法。
【請求項５】
前記リモートコントローラに前記通信確認用温度を表示させるステップの後に、予め決められた時間経過後に、前記複数の空気調和機ごとに前記通信確認用温度の設定前に設定されていた温度に復帰させるステップを、さらに備えることを特徴とする請求項４に記載の空気調和機の通信管理方法。
【発明の詳細な説明】
【技術分野】
【０００１】
本発明は、複数台の空気調和機に対して適切な管理を行うための空気調和機管理システム及び該管理システムを用いた通信管理方法に関する。
【背景技術】
【０００２】
従来より、オフィスビル等、複数台の空気調和機を結び１つのシステムとしてそれら複数台の空気調和機を運転制御することが行われている。例えば、必要に応じた複数台を画一的に同一運転状態に制御し、或いは、個々の室内ごとの温度設定に合わせた運転制御が行われる。
【０００３】
このようなシステムの下では、各室内に設置される個々の室内機ごとに固有のアドレスが付与されており、このアドレスを基に制御指示を送信する先の室内を決定する。そのため運転制御を行う際には、空気調和の対象となる室内に設置されている空気調和機の室内機のアドレスと、空気調和の指示内容とが合致しなければ適切な空気調和を行うことはできない。例えば、制御指示を出すクライアントマシンが、Ａという室内の空気調和を行うためにＡの室内に設置されているであろう室内機に付与されたアドレスを基に運転制御の指示を出しても、そのアドレスと設置された部屋との対応が間違っていると別のＢという室内の空気調和を行ってしまうことが起こり得る。
【０００４】
従って、空気調和機を設置する際にはあらかじめその指示を出す対象となる室内機のアドレスを確認する必要がある。このアドレス確認の方法として、以下の特許文献１には次のような構成を有する発明が開示されている。すなわち、作業者による各空気調和機のアドレスの確認時には、設定時間間隔で各空気調和機の所定の内蔵機器（例えば、ブザーや室内ファン等）をアドレス順に作動させるという方法である。
【０００５】
ここで、通常空気調和機の動作状態を監視し、その動作状態を保持する空調管理サーバがコントロールすることになる空気調和機は、ビル全体に設置されているそのすべてに及び、数十台という数にのぼることも多い。これらの空気調和機では同じ冷凍サイクルに接続されている複数の室内機が存在する、いわゆるマルチ形の空気調和機が多数存在する。
【０００６】
このタイプの空気調和機は、１機または複数機の室外機と複数機の室内機が同じ冷凍サイクルに接続されているため、個々の室内機が別々に冷房運転、或いは暖房運転を選択することはできず、全ての室内機は同じ運転モードとなる。このような制限があるため、空調管理サーバに接続される全ての室内機のアドレスを単純に順番に付していくことはできない。実際には、同じ冷凍サイクルに接続される室外機及び単数機または複数機の室内機の一群を１つの系統として示す系統アドレスとその系統内での個々の室内機を示すアドレスといった組み合わせでアドレスが決定され使用される。従って、個々の室内機のアドレスとしては、系統アドレスで２桁、系統内の個別室内機アドレスで２桁の合計４桁が必要となる。
【特許文献１】特許第２５３６１４７号公報
【発明の開示】
【発明が解決しようとする課題】
【０００７】
しかしながら、上述の特許文献１に開示されている発明の構成では、以下の点に配慮がなされていない。例えば、ブザーや室内ファン等の動作を確認するためには、その空気調和機の動作順番がきたところでその動作を確認する者（以下、適宜このような者を「作業者」という。）が近くにいなければならない。特に確認しようとするアドレスの室内機が異なるフロアに設置されている室内機と入れ替わっていた場合には、作業者の移動に手間取るため、長時間ブザーや室内ファン等の動作を継続させておかなければならず、確認をするための時間を確保するために動作時間の設定を長めにせざるを得ない。この結果、全ての室内機に関するアドレス設定の確認（通信管理の確認）に非常に長い時間を要してしまう。
【０００８】
また、例えば各室内機に付属するリモートコントローラ（以下、適宜「リモコン」と略して表わす。）の表示部にこれら室内機のアドレスを表示させて、空調管理サーバに登録されている室内機のアドレスと実際の室内機との対応の確認を取る方法も考えられる。
【０００９】
但し、上述したように各室内機に付与されるアドレスは４桁以上となることも考えられるが、一方で一般的にリモコンの表示部分における表示桁数は４桁もの数字を表示できるようにはされていない。そのため、リモコンの表示部分を利用しての通信管理の確認を行うにはリモコンの表示部分に自機（そのリモコンを付属する空気調和機）のアドレスを表示させるためだけの領域を設ける必要があり、現実的ではない。
【００１０】
本発明は、上記課題を解決するためになされたものであり、本発明の目的は、空気調和機のリモコンの表示部として必ず装備されている温度表示を利用して、簡易な方法で空調管理サーバに登録されている室内機のアドレスと実際に設置されている室内機との対応の確認を容易に行うことのできる空気調和機管理システム及び該管理システムを用いた通信管理方法を提供することである。
【課題を解決するための手段】
【００１１】
本発明の実施の形態に係る第１の特徴は、空気調和機管理システムにおいて、室内機と室外機とから構成され、それぞれの室内機が固有のアドレスをもって区別される複数の空気調和機と、室内機に接続され、室内機の制御を行なうとともに設定温度を表示する表示部を備えたリモートコントローラと、室内機に対して一台ずつに異なる通信確認用温度を指示する管理装置とを備え、リモートコントローラは、管理装置によって指示された通信確認用温度を表示部に表示する。
【００１２】
本発明の実施の形態に係る第２の特徴は、空気調和機の通信管理方法において、それぞれが固有のアドレスをもって区別されて管理装置と接続される複数の室内機に対して、アドレスのソートを行うステップと、ソートによって並べられたアドレスを持つ複数の空気調和機に対して順に番号を付与するステップと、複数の空気調和機に対して付与された番号順に、順次所定の温度差をもつ通信確認用温度を設定するステップと、設定された通信確認用温度を複数の空気調和機に送信し、それぞれの空気調和機に付属するリモートコントローラに通信確認用温度を表示させるステップとを備える。
【発明の効果】
【００１３】
本発明によれば、空気調和機のリモコンの表示部として必ず装備されている温度表示を利用して、簡易な方法で空調管理サーバに登録されている室内機のアドレスと実際に設置されている室内機との対応の確認を容易に行なうことのできる空気調和機管理システム及び該管理システムを用いた通信管理方法を提供することができる。
【発明を実施するための最良の形態】
【００１４】
以下、本発明の実施の形態について図面を参照して詳細に説明する。
【００１５】
図１は、空気調和機管理システム１の全容を簡易に示した全体構成図である。空気調和機管理システム１（以下、適宜「管理システム１」と略して表わす。）は、複数の空気調和機２と、これら複数の空気調和機２の動作状態を監視し、その状態を保持する空調管理サーバ３と、この空調管理サーバ３を介して各空気調和機２の運転制御を行うための指示を生成し送信するクライアントマシン４とから構成されている。
【００１６】
なお、本発明の実施の形態では、管理装置が空調管理サーバ３とクライアントマシン４とで構成されているが、管理装置としては空調管理サーバ３に操作入力部を設けてクライアントマシン４と一体化したものでもよい。一般にクライアントマシン４は空調管理サーバに接続するためのソフトウェア、例えば、ブラウザがインストールされたパーソナルコンピュータ（ＰＣ）が用いられる。
【００１７】
また、複数の空気調和機２、空調管理サーバ３及びクライアントマシン４とは、通信ネットワーク５によってそれぞれ接続されている。この通信ネットワーク５は、例えば、インターネットやＬＡＮ（Local Area Network）等を使用することができる。また、通信ネットワーク５を介して送受信される収集データの規格もどのような規格でも構わない。
【００１８】
空気調和機２は、室内機と室外機とから構成される。本発明の実施の形態における管理システム１には、１機の室外機に１機の室内機が接続される構成を採用する空気調和機２の他に、１機の室外機に複数の室内機が単一の冷凍サイクルで結ばれたり、複数の室外機に複数の室内機が単一の冷凍サイクルで結ばれる、いわゆるマルチ構成を採用する空気調和機２も接続されている。図１では、通信ネットワーク５を介してマルチ構成を採用する空気調和機２が複数接続されている状態を示している。
【００１９】
また、以下では、１機の室外機に１機の室内機が接続された空気調和機、或いは１機または複数の室外機と複数機の室内機が接続されているマルチ構成の空気調和機の１つ１つの冷凍サイクル単位を系統と表わしている。例えば、図１には、室外機２１ａに３機の室内機２１ｂ，２１ｃ，２１ｄが接続された系統２１、室外機２２ａに４機の室内機２２ｂ，２２ｃ，２２ｄ，２２ｅが接続された系統２２と２つの系統が示されている。
【００２０】
なお、図１では２つの系統のみを表しているが、この系統はさらに多く設けられても構わない。また、上述したように１機の室外機と１機の室内機との組み合わせによって空気調和機２が構成されるが、マルチ構成の下でも例えば、室外機２１ａと室内機２１ｂ、室外機２１ａと室内機２１ｃ、室外機２１ａと室内機２１ｄ、というような組み合わせを考えることでそれぞれを１機の空気調和機と考えることができることから、これらを以下、便宜上まとめて、或いはそれぞれを「空気調和機２」と表わす。
【００２１】
各空気調和機２の室内機にはそれぞれリモートコントローラ２１ｂｒないし２１ｄｒ、２２ｂｒないし２２ｅｒ（以下、適宜まとめてリモートコントローラ「２ｒ」という。）が付属している。このリモートコントローラ２ｒは、室内機と配線接続され、室内機に対して温度や風向き等を設定し、室内から室内機の運転制御を行うために用いられる。
【００２２】
図２に示すリモートコントローラ２ｒはその一例であり、右端で接続されている蓋２ｒａが開いた状態となっている。蓋２ｒａが閉じていたときに覆われていた領域には、左側に表示部２ｒｂ、右側に各種設定を行うためのボタン２ｒｃ、その下に空気調和機２の運転、停止を切り替える運転／停止ボタン２ｒｄが設けられている。表示部２ｒｂは上段、中段、下段の３段の領域に分かれており、上段には空気調和機２の運転状態に関する情報が、中段には温度に関する情報が、下段にはタイマーに関する情報がそれぞれ液晶で表示されるようにされている。
【００２３】
中段の領域中央には、設定温度が表示される。単位は摂氏［℃］である。そのほかに、温度表示の右上には、空調管理サーバ３、クライアントマシン４とによる複数の空気調和機２を集中的に管理している旨の「集中管理中」という表示がなされている。また、「設定温度」の表示の下には「アドレス」という表示欄が設けられている。「アドレス」表示は、空気調和機のアドレスと実際の空気調和機との対応の確認を取る際に用いられる通信確認用温度が設定されたときにＯＮとなるようにされている。
【００２４】
クライアントマシン４から特定の室内機の設定温度を変更を指示した場合、その指示は空調管理サーバ３、当該室内機を経由してその室内機のリモートコントローラ２ｒに伝達され、変更された設定温度がリモートコントローラ２ｒの設定温度領域に表示される。
【００２５】
例えば、図２のリモートコントローラ２ｒにおいては、詳細を後述する空気調和機２のアドレスを表示させた表示例を表わしており、「アドレス」欄に「アドレス」の文字が表示されるとともに、温度表示の欄にクライアントマシン４によって指令された通信確認用温度が表示される。
【００２６】
空調管理サーバ３は、通信ネットワーク５に接続されている全ての空気調和機２それぞれのＯＮ、ＯＦＦ状態、動作モード、設定温度、風量、風向き、手元操作禁止設定状態等、全ての動作状態を監視するとともにその状態を保持している。また、通信ネットワーク５を介してクライアントマシン４とも接続されており、クライアントマシン４に全ての空気調和機２それぞれの動作状態のデータを提供するとともにクライアントマシン４からの指示に基づいて、空気調和機２の動作状態を変更する。
【００２７】
クライアントマシン４は、接続されている空気調和機２のすべてに対する遠隔操作機能を備え、空調管理サーバ３を介して通信ネットワーク５に接続されている全ての空気調和機２に対して運転制御を行うための指示を出す。このクライアントマシン４からは、複数の系統に属する空気調和機２に対して一括して同じ運転制御を行ったり、或いは、系統ごとや空気調和機２ごとに異なった運転制御を指示することが可能である。各空気調和機２の室内機に接続されているリモートコントローラは、クライアントマシン４からの指令を空調管理サーバ３、室内機を経由して受け取ることができる。
【００２８】
通信ネットワーク５に接続されている全ての空気調和機２の室内機にはそれぞれユニークな室内機アドレスが付与されている。このアドレスは、設置時等に手動又は自動で各室内機に与えられたもので、冷凍サイクルの系統を表わす系統アドレスとその系統の中の特定の室内機を示す個別室内機アドレスの組み合わせで構成される。
【００２９】
図３は、クライアントマシン４内に実装される管理手段１０の内部構成を示すブロック図である。管理手段１０は、受信手段１１と、番号付与手段１２と、記憶手段１３と、設定手段１４と、タイマ１５と、送信手段１６とから構成される。クライアントマシン４は、この管理手段１０を用いて設定されている空気調和機の室内機のアドレスと実際の室内機との対応の確認を取ることができる。以下、空気調和機のアドレスの確認の方法について、管理手段１０内の各部の働きとともに、動作の流れを示したフローチャート（図４参照）を用いて説明する。
【００３０】
クライアントマシン４では、まず、室内機アドレスの確認要求が出されたか否かが判断される（ＳＴ１）。これは、例えば、クライアントマシン４の表示手段に表示される「室内機アドレス確認」のアイコンがクリックされたか否かの判断に基づく。クリックされていない状態では確認要求が出されていない（ＳＴ１のＮＯ）ので、通信ネットワーク５に接続される全ての空気調和機２に対して通常運転の処理が行われる（ＳＴ２）。
【００３１】
一方、「室内機アドレス確認」のアイコンがクリックされ、室内機アドレスの確認要求が出された場合には（ＳＴ１のＹＥＳ）、室内機アドレスの確認作業に入る。この確認要求は、管理手段１０のアイコン操作入力から番号付与手段１２へと入力される。番号付与手段１２は、通信ネットワーク５に接続されている全ての空気調和機２の室内機に付与されている系統アドレス及び個別室内機アドレスを、その番号が小さい順にソートをかけて並べ替えを行う（ＳＴ３）。系統アドレス及び個別室内機アドレスは、接続時に受信手段１１経由で入手され、記憶手段１３内に予め記憶されていることから、番号付与手段１２はこの記憶手段１３にアクセスしてアドレスに関する情報を入手する。その上で、入手したアドレスを基にソートをかける。ここでは便宜上番号の小さい順に並べ替えを行っているが、区別が付く方法であればどのように並べ替えても良い。
【００３２】
なお、記憶手段１３は、管理手段１０内に設けられた構成を例に挙げて説明を行うが、空調管理サーバ３内にアドレスに関する情報を記憶させておき、クライアントマシン４からのアクセスによって都度、当該情報を入手するようにしても良い。また、管理手段１０を空調管理サーバ３側に設け、クライアントマシン４は空調管理サーバ３に室内機アドレスの確認要求を出すだけとしても良い。
【００３３】
番号付与手段１２は、ソートした結果に対して１番目から最終のＮ番目まで番号ｉを付与する（ＳＴ３）。この付与する番号ｉは、系統アドレス及び室内機アドレスからなる各室内機が持つアドレスと１対１で対応の付く番号或いは記号であれば、どのような規則性を持って付与しても構わない。
【００３４】
室内機が持つアドレスに対して番号ｉが付与されると、その対応関係の情報が設定手段１４に送られる。この対応関係を表にして表わしたのが図５に示す表である。この表では、左から「系統アドレス」、「個別室内機アドレス」、「ソート順」、「リモコン表示（設定温度部分）」といった４つの項目が設けられている。「系統アドレス」、「個別室内機アドレス」は、上述したように各室内機にそれぞれ付与されているアドレスである。この表には「系統アドレス」は１ないし６まで示されているので、管理システム１には６つの系統があることがわかる。系統アドレスは最大で１６までが使用可能で、各系統アドレス内の個別の室内機アドレスは最大で３２までが使用可能である。
【００３５】
「個別室内機アドレス」は、その系統内の室内機ごとに付与され、図５に示す表からはこれらのそれぞれの系統アドレスごとに室内機が何機接続されているかがわかる。例えば、系統アドレスが「１」の系統には室内機アドレスが１ないし５まで付与されているので、この系統１には５機の室内機が接続されていることがわかる。また、系統４の場合には、１機の室内機が接続されている。
【００３６】
そして、系統アドレスの小さいほうから大きいほうへ、この場合は１から６へ、また室内機アドレスの各系統アドレス内における空気調和機に付与されるアドレスの小さい番号から大きな番号へと並び替えが行われる（図５参照）。
【００３７】
並び替えが終わると、ソート順に１から順に番号ｉが付与される。「ソート順」の欄には、管理システム１を構成する全ての空気調和機２を系統アドレス及び室内機アドレスのいずれも番号の小さい方からソートした結果付与された番号ｉが表示されている。例えば、系統アドレス「３」を持つ空気調和機は、図５に示すように室内機アドレスの１から４へそれぞれ７から１０までの番号が付与される。
【００３８】
設定手段１４では、まず番号ｉを１にセットし（ＳＴ４）、この番号１が付与されたアドレスを持つ室内機（本発明の実施の形態においては系統アドレスが「１」であって個別室内機アドレスが「１」である室内機。以下、室内機のアドレスは「系統アドレス−個別室内機アドレス」の順に、例えば「１−１」のように表わす）に対して、予め決められた通信確認用の設定温度−ｉ℃、すなわち−１℃を設定、送信する（ＳＴ５）。図５の表では最右欄に通信確認用温度が表示されており、アドレス「１−１」を持つ室内機に対しては「−１℃」の通信確認用温度が設定される。
【００３９】
ステップＳＴ５で第１番目のｉ＝１の室内機への動作確認用温度の送信が完了すると、続いてｉにｉ＋１（＝２）を設定し（ＳＴ６）、ｉが最終番号のＮを超えるまで各室内機ごとにステップＳＴ５〜ＳＴ７の動作確確認用温度の送信が繰り返される。
【００４０】
なお、アドレス「１−１」を持つ室内機に対して何℃の通信確認用温度を設定するかは任意に決定することができる。本発明の実施の形態のように、番号ｉのアドレスの室内機に対して通信確認用温度を「−ｉ℃」と設定しているが、−９９から順次増加させていくこともできる。本発明の実施の形態では、「−１℃」を通信確認用温度の開始温度とし、その後、１℃の温度幅で順次減少するようにしている。この結果、図５の表に示すようにリモコンの表示部分は図２に示すように２桁の範囲で用いるため、最大で「−９９℃」まで設定することができる。従って、管理システム１は最大９９台の室内機に対処することが可能となる。
【００４１】
また、「−３０℃」を通信確認用温度の開始温度とし、「９９℃」まで通信確認用温度を設定すると１３０台の空気調和機（室内機）に対して温度設定をすることができ、これら複数の空気調和機（室内機）についての通信確認を行うことができる。そして、設定開始温度を「−９９℃」或いは「９９℃」とし、設定終了温度を「９９℃」或いは「−９９℃」とすることにより、最大１９９台の空気調和機２に対して通信確認用温度を設定することができる。この通信確認用温度を設定するための式は任意に設定することが可能である。
【００４２】
番号ｉがソートされたそれぞれのアドレスを持つ室内機の全台数よりも小さな値である場合（ｉ＜Ｎ）には（ＳＴ７のＮＯ）、空調管理サーバ３に接続されている全ての室内機に対して通信確認用温度の設定が終了していないので、引き続き通信確認用温度−ｉを設定、送信する。
【００４３】
全ての空気調和機２の室内機に対して通信確認用温度が設定、送信されるとステップＳＴ６でのｉの番号がＮ＋１となり、ステップＳＴ７がＹＥＳとなり、通信確認用温度の設定が完了したこととなる。この時点で、各室内機ではそれぞれ設定された通信確認用温度をその付属するリモコンの表示部２ｒｂに表示させる。併せて、「アドレス」欄の表示がＯＮとなって「アドレス」の文字が表示される。ここで、作業者は室内機のアドレス確認のため、図５に示すような室内機の実アドレスと通信確認用温度の対応表及び室内機の実アドレスとその室内機の建物内の設置位置図面を持って各室内機のリモコン表示を確認して回る。リモコン２１ａｒ、２１ｂｒ・・・・は通常使用者が操作しやすい場所に設置されているため、確認作業がきわめて容易である。
【００４４】
続いて、管理手段１０内の設定手段１４はタイマ１５の作動を開始させる（ＳＴ８）。このタイマ１５は、通信確認用温度がリモコンに表示される時間Ｔを決めるもので、この時間Ｔは、空気調和機のアドレスと実際の空気調和機との対応の確認を取るために作業者が室内機が設置されている各室内を回るのに必要な時間が設定される。本発明の実施の形態においては、時間Ｔを２０分と設定している（ＳＴ９）が、管理システム１を構成する空気調和機２(室内機)の台数や確認の難易によってその時間を自由に設定することができる。この時間Ｔの設定方法としては、クライアントマシン４での手動設定や、最短で１０分とし、接続されている室内機の数であるＮに応じてＮ×２分を加算する（Ｔ＝２０＋Ｎ×２（分））というような時間設定手段を管理手段１０内に組み込み、自動で設定するようにしても良い。  
タイマ１５の計測によって設定された所定の時間Ｔ（ここでは２０分）が経過したか否かを設定手段１４が判断し、所定時間Ｔが経過した場合には（ＳＴ９のＹＥＳ）、全ての空気調和機に対して通信確認用温度の設定を取り消し、各々の室内機においてそもそも設定されていた温度に、すなわち、元の設定温度に戻す指示を出す（ＳＴ１０）。なお、各室内機の元の設定温度に関する情報は、空調管理サーバ３から入手することになる。
【００４５】
このように、管理システムを構成されている全ての空気調和機に対する通信確認を行う際に、各々の空気調和機が持つアドレスを基に通信確認用温度を設定することで、空気調和機のリモコンの表示部として必ず装備されている温度表示を利用して、簡易な方法で空調管理サーバに登録されている室内機のアドレスと実際に設置されている室内機との対応の確認を容易に行うことのできる空気調和機管理システム及び該管理システムを用いた通信管理方法を提供することができる。
【００４６】
さらに、上述したようにリモコンの表示部中の温度表示部分を活用することによって、この温度表示部分はどのようなリモコンにも設けられる基本機能であることからリモコンが付属する空気調和機であれば対応が可能である。また、この温度表示部分は設定された温度を大きく表示するため、作業者が通信確認を行う際にも遠くから見やすく、容易に確認可能であるとの効果も奏する。
【００４７】
なお、この発明は、上記実施の形態そのままに限定されるものではなく、実施段階ではその要旨を逸脱しない範囲で構成要素を変形して具体化できる。
【００４８】
さらに、上記実施の形態に開示されている複数の構成要素を適宜組み合わせることにより種々の発明を形成できる。例えば、実施の形態に示される全構成要素から幾つかの構成要素を削除してもよい。更に、異なる実施の形態に亘る構成要素を適宜組み合わせてもよい。
【図面の簡単な説明】
【００４９】
【図１】本発明の実施の形態に係る管理システムの全容を簡易に示した全体構成図である。
【図２】本発明の実施の形態に係る管理システムを構成する空気調和機に付属するリモートコントローラを示す全体図である。
【図３】本発明の実施の形態に係る管理手段の内部構成を示すブロック図である。
【図４】本発明の実施の形態に係る管理の手順を示すフローチャートである。
【図５】空気調和機のアドレスとクライアントマシンによって付与された番号、及び設定された通信確認用温度との関係を示す表である。
【符号の説明】
【００５０】
１…管理システム、２…空気調和機、２ａ…室外機、２ｂないし２ｅ…室内機、２ｒ…リモートコントローラ、３…空調管理サーバ、４…クライアントマシン、４ａ…気密面、５…通信ネットワーク、１０…管理手段、１１…受信手段、１２…番号付与手段、１３…記憶手段、１４…設定手段、１５…タイマ、１６…送信手段
【図１】
2009127892.tif 000003
【図２】
2009127892.tif 000004
【図３】
2009127892.tif 000005
【図４】
2009127892.tif 000006
【図５】
2009127892.tif 000007